(57)【特許請求の範囲】
【請求項１】
中央軸を備え、そこから、少なくとも３つの側部が、ほぼ放射線状に外側に向かって延伸するアドベントカレンダーであって、
ｉ）前記側部は、好ましくは前記中央軸の領域で、互いに接合され、
ｉｉ）少なくとも１つの前記側部は、取り外し自在か、または、隣接する前記側部まで搖動、若しくは折り畳まれることが可能であり、好ましくは、該隣接する側部に取り付けることが可能であり、
ｉｉｉ）少なくとも２４の予め打ち抜かれた凹域が、前記側部に亘って分布されており、該凹域は、該側部から取り外し可能であると共に、取り外し後に、各々、該側部の凹部を提供し、
ｉｖ）前記予め打ち抜かれた凹域の各々は、当該凹域の上部に近接して該凹部内で物品を吊り下げるための第１吊るし装置を有し、および
ｖ）前記側部の前記予め打ち抜かれた凹域の少なくとも１つの上に、少なくとも２４の予め打ち抜かれた第２吊るし装置が分布されていることを特徴とするアドベントカレンダー。
【請求項２】
厚紙で作られていることを特徴とする請求項１記載のアドベントカレンダー。
【請求項３】
前記放射線状に外側に向かって延伸する隣接する側部の間の角度が、ほぼ等しいことを特徴とする請求項１または２記載のアドベントカレンダー。
【請求項４】
前記側部が、好ましくは、前記中央軸の領域内で、好ましくは、実継ぎ系によって、解放自在に互いに差し込み可能であることを特徴とする請求項１から３のいずれか１項記載のアドベントカレンダー。
【請求項５】
４つの前記側部を有することを特徴とする請求項１から４のいずれか１項記載のアドベントカレンダー。
【請求項６】
前記第１吊るし装置が、前記凹部内にフックのように形成されていることを特徴とする請求項１から５のいずれか１項記載のアドベントカレンダー。
【請求項７】
前記第２吊るし装置が、前記予め打ち抜かれた凹域上に備えられていることを特徴とする請求項１から６のいずれか１項記載のアドベントカレンダー。
【請求項８】
前記アドベントカレンダーを壁または天井に取り付けるための固定手段を、好ましくは、少なくとも１つの前記側部の上部領域に、好ましくは、鳩目穴の形状で備えたことを特徴とする請求項１から７のいずれか１項記載のアドベントカレンダー。
【請求項９】
少なくとも１つの前記側部が、ヒンジ機構により、隣接する前記側部上まで折り畳まれることが可能であることを特徴とする請求項１から８のいずれか１項記載のアドベントカレンダー。
【発明の詳細な説明】
【技術分野】
【０００１】
本発明は、アドベントカレンダー関するものである。
【背景技術】
【０００２】
アドベントカレンダーは、１２月１日から２４日までに使われる季節商品であり、通常、２４の小さな包装されたプレセントが入っている。クリスマスイブまでの日々のカウントダウンを行うために、毎日、その中の１つをアドベントカレンダーから取り出して、包装を開けることができる。
【０００３】
チョコレート等、広範囲の様々な物品が詰められた既製のアドベントカレンダーが、市販されている。しかしながら、自家製のアドベントカレンダーの方が、通常、遥かに個人的であり、このようなアドベントカレンダーを、プレゼントとして誰かにあげると、より大きな愛情を表現することができる。
【０００４】
個別にデザインされたアドベントカレンダーの中身が、より大きな愛情を表現することができるだけでなく、アドベントカレンダーの製作および中身詰めが、早い段階から、既にクリスマスムードに貢献する。それは、１２月２４日直前に、丁度よいクリスマスツリーを据えることに匹敵するものであり、結果として、ユーザは、感情的に非常によくそれに似たレベルで関わることになる。このように、ユーザは、アドベントカレンダーを自分で設置するだけでなく、例えば、１２月６日（聖ニコラスの祭日）および１２月２４日（クリスマスイブ）には特別な品物等というように、非常に広範囲の製品／詰合せをアドベントカレンダーに詰めることができる。
【発明の概要】
【発明が解決しようとする課題】
【０００５】
自家製のアドベントカレンダーによくみられる不都合な点は、このようなアドベントカレンダーは、例えば、立っているアドベントカレンダーとしてだけ使用可能であるか、または、壁に、若しくは天井からの吊り下げだけが可能か等というように、あまり可変的には使用できないということである。小さなプレゼントのアドベントカレンダーへの取付けは、そのアドベントカレンダー用に、異なった吊り下げ、および搭載機構を考慮しなくてはならないと、問題があることが多い。
【０００６】
したがって、本発明は、従来の不都合な点を解決し、特に、搭載時における、より柔軟な変化、および、異なったプレゼントのアドベントカレンダーへの容易な取付けを可能にするアドベントカレンダーを提供することを目的とする。さらに、本発明のアドベントカレンダーは、組立て、および分解が容易であると共に、１年の残り期間は、できるだけコンパクトな収納に適しているとよく、エンドユーザにとって運ぶのが簡単であるとよい。さらに、本発明のアドベントカレンダーを、難なく処分可能であることが、特に好ましい。
【課題を解決するための手段】
【０００７】
この問題は、中央軸を備え、そこから、少なくとも３つの側部が、ほぼ放射線状に外側に向かって延伸するアドベントカレンダーによって解決される。そのアドベントカレンダーにおいては、
ｉ）側部は、好ましくは中央軸の領域で、互いに接合され、
ｉｉ）少なくとも１つの側部は、取り外し自在か、または、隣接する側部上まで搖動、若しくは折り畳まれることが可能であり、好ましくは、隣接する側部に取り付けることが可能であり、
ｉｉｉ）少なくとも２４の予め打ち抜かれた凹域が、側部に亘って分布されており、凹域は、側部から取り外し可能であると共に、取り外し後に、各々、側部の凹部を提供し、各凹部は、凹部内で物品を吊り下げるための第１吊るし装置を有する、および／または、少なくとも２４の予め打ち抜かれた第２吊るし装置が、側部の領域上に分布されており、好ましくは、第２吊るし装置は、領域から折り曲げられ、若しくは曲げられることが可能である。
【０００８】
特に好ましくは、予め打ち抜かれた凹域、および／または、予め打ち抜かれた第２吊るし装置は、アドベントカレンダーの全ての側部に亘って分布されており、凹域は、側部から取り除かれる、または、押し出されることが可能である、予めミシン目を入れられた領域である。
【０００９】
アドベントカレンダーは、厚紙で作られていることが好ましい。本発明のアドベントカレンダーが、厚紙だけから作られていると、プレゼントをアドベントカレンダーに固定するのに、他の材料から作られた追加の構成要素を必要としない。カレンダーを１つの材料から作ることで、廃棄が容易になる。
【００１０】
さらに、放射線状に外側に向かって延伸する、隣接する側部の間の角度が、ほぼ等しいことが好ましい。したがって、合計で３つの側部が使用されると、それぞれ互いに、約１２０°の角度を形成する。一方、合計で４つの側部が使用されると、隣接する側部の間に約９０°の角度を形成することになる。
【００１１】
側部が、好ましくは、中央軸の領域内で、好ましくは、実継ぎ（ｔｏｎｇｕｅ−ａｎｄ−ｇｒｏｏｖｅ）系、フック系、ヒンジ機構、または、他の差込み系によって、解放自在に互いに差込み可能であることが、特に好ましい。
【００１２】
アドベントカレンダーは、４つの側部を有するのが最も好ましい。
【００１３】
好ましくは、第１吊るし装置が、凹部内にフックのように形成されているのがよいと考えられる。
【００１４】
アドベントカレンダーは、アドベントカレンダーを壁または天井に取り付けるための固定手段を、好ましくは、少なくとも１つの側部の上部領域に、好ましくは、鳩目穴（ｅｙｅｌｅｔ）の形状で備えることが好ましい。
【００１５】
凹部には、１から２４までの数字が、側部上に付されているのか好ましい。
【００１６】
最後に、少なくとも１つの側部が、ヒンジ機構により、隣接する側部上まで折り畳まれることが可能であることが好ましい。当業者であれば、１つの側部を、隣接する側部上まで折り畳む他の機構を知っている。例えば、それによって側部の取り外しが可能であるミシン目を側部に付与することが考えられる。尚、適応自在性を保つために、その側部を、フック掛け系等により再接合させることが可能である。
【００１７】
驚いたことに、本発明のアドベントカレンダーは、大きな可変性を示し、結果として、例えば、三次元の立っているアドベントカレンダーとしての使用が可能、または、壁、若しくは天井への取付けが可能であることを見出した。
【００１８】
本発明のアドベントカレンダーは、組立て、およびプレゼント詰めを、簡単に行うことができ、設置およびプレゼント詰めの方法については、多様な可能性がある。
【００１９】
さらに、本発明のアドベントカレンダーは、厚紙等、１つの材料から構成されることが好ましいので、プレゼントが一旦取り除かれると、個々の材料を分離して廃棄するのを難しくしうる、残された材料の混合がないので、廃棄が簡単である。
【００２０】
本発明のアドベントカレンダーの側部の凹部のサイズおよび形状は、必要なように規定しうる。特に、アドベントカレンダーに吊り下げられるプレゼントが、アドベントカレンダーと共に販売されるのなら、凹部のサイズおよび形状を、それに応じて予め適合させることが可能である。
【００２１】
さらに、本発明のアドベントカレンダーの利点および特徴は、添付の図面を参照しながら、以下の好適な実施形態の詳細な説明で明らかになるであろう。
【図面の簡単な説明】
【００２２】
【図１】４つの側部と、凹域と、第１吊るし装置とを有する本発明のアドベントカレンダーの一実施形態を示す概略図
【図２】第１吊るし装置を有する凹部を示す概略図
【図３】さらに他の第１吊るし装置を有する凹部を示す概略図
【図４】第２吊るし装置を有する凹域を示す概略図
【図５】４つの側部を有する本発明のアドベントカレンダーの断面図
【図６】図５のアドベントカレンダーの断面図で、１つの側部が折り畳まれた状態を示す図
【図７】側部と、凹域と、第１吊るし装置とを有する、雪だるまの形状の本発明のアドベントカレンダーの一実施形態をさらに示す概略図。
【発明を実施するための形態】
【００２３】
図１は、クリスマスツリー形状の本発明のアドベントカレンダーを示す。アドベントカレンダー１は、４つの側部２を備え、その内の３つは、図１で見えているが、４番目の側部２は、ほとんど隠されている。側部２は、中央軸から、放射線状に外側に向かって延伸している。側部２は、当業者に公知の手段によって、互いに接合されることが可能である。例えば、個々の側部２は、実継ぎ系によって、互いに接合されることが可能であり、特に、個々の部品を、組立て後に分離自在とする意図がなければ、例えば、互いに接着することも考えうる。
【００２４】
各側部２は６つの予め打ち抜かれた凹域３を有し、ユーザは、アドベントカレンダー１を組み立てる時に、凹域３を、側部２から容易に押し出す、または他の方法で取り除くことが可能である。予め打ち抜かれた凹域３が、側部２から取り除かれた後には、形成された凹部４（図２および３を参照）内に、品物（不図示のプレゼント）を凹部４中に受けるための第１吊るし装置５が残る。
【００２５】
図２、３に示された凹部４は、ほぼ正方形である。しかしながら、第１吊るし装置が凹部４内に備えられている限りは、品物／プレゼントを吊り下げるのに適切な他の任意の形状の凹部４を備えてもよいことは明らかである。
【００２６】
第１吊るし装置５が、図２の拡大図に示されている。図２において、フック形状の第１吊るし装置５が、凹部４の上部領域に示されており、フックを提供するために、第１吊るし装置５の下部６は、破線において、ほぼ上方向に折り曲げられることが可能である。
【００２７】
この第１吊るし装置の、さらに他の実施形態において、リップ（ｌｉｐ）９が、凹部４の上方領域内まで突出していることが考えうる。曲げ、または折り曲げて出すことが可能なフック７が、そのリップ上に備えられていてもよく、結果として、そこに、ペットフードのパッケージ等の包みを吊り下げることが可能である。このような実施形態が、図３に示されている。
【００２８】
このように、予め打ち抜かれた凹域３が取り外されると、第１吊るし装置を用いて、各凹部に、品物／プレゼントを吊り下げることが可能である。本発明のアドベントカレンダー１の場合には、特に、アドベントカレンダーが、立っているアドベントカレンダーとして使用されるのなら、予め打ち抜かれた凹域３を、取り除くことが可能である。
【００２９】
しかしながら、アドベントカレンダーが使用される時に、予め打ち抜かれた凹域３は、必ずしも取り除かれなくてもよい。例えば、アドベントカレンダーが、壁にもたれて設置されるのなら、取り除くことを不要としうる。その場合、品物／プレゼントを凹部内部に吊り下げることは、都合がよくない。アドベントカレンダーが壁にもたれて設置されるのなら、その代わりに、品物／プレゼントを、側部２上の予め打ち抜かれた第２吊るし装置８に追加する方が、より好都合である。側面２が、予め打ち抜かれた第２吊るし装置８と共に概略的に示された図４に、これが示されている。カレンダーを設置する時に、さらに、品物／プレゼントを吊り下げることが可能なフック等を提供するために、第２吊るし装置８は、ユーザによって、側部の領域から、単に曲げ、または折り曲げられうる。これらの第２吊るし装置８が使用されると、アドベントカレンダー１を、壁掛けアドベントカレンダーとして使用する際に、全く問題がない。特に好ましい実施形態において、第２吊るし装置８は、予め打ち抜かれた凹域３に配置されている。これらの第２吊るし装置８が不要であれば、予め打ち抜かれた凹域３を取り除くことによって、容易に取り除くことが可能である。もちろん、他の実施形態においては、第２吊るし装置８を側部２の取り除き不可領域上に備えることも、同様に十分考えうる。
【００３０】
立っているアドベントカレンダーとして使用するか、壁掛けアドベントカレンダーとして使用するかの選択は、図５および６の断面図に示すように、ユーザによって、アドベントカレンダーの少なくとも１つの側部２を、隣接する側部２上まで搖動または折り畳むことで、容易に行うことができる。
【００３１】
図５に示されたアドベントカレンダー１は、中央軸１０の領域で互いに接合された４つの側部２を有している。１つの側部２は、折り畳み／搖動するように構成されており、図５では、斜線で示されている。
【００３２】
このアドベントカレンダー１が、壁掛けカレンダーとして使用されるなら、アドベントカレンダーを壁に固定することを可能にするために、その斜線で示された側部２を隣接する側部２上まで、単に折り畳み／搖動しうる。当業者であれば、ヒンジによる、等、側部を折り畳み／搖動可能に構成する様々な可能性を知っている。壁掛けカレンダーとして使用される時に、１つの側部２だけが折り畳まれると、言うまでもなく、元々使用された４つの側部のうちの、もう１つの側部２が、ほぼ垂直に壁から室内に突出する。プレゼントを均一に分布させるために、ほぼ垂直に壁から室内に突出する側部については、１２の第２吊るし装置８が必要とされることが好ましい。本発明のアドベントカレンダー１において、２つの、好ましくは、向い合った側部２が、隣接する側部２上に折り畳まれることが可能である場合は、ほぼ二次元の平らな形状のアドベントカレンダーを得ることができる。
【００３３】
最後に、図７は、本発明のさらに他のアドベントカレンダー１´の実施形態を示し、雪だるまの形状で、側部２´、凹域３´、および吊るし装置５´を備えており、本発明のアドベントカレンダーの設計しうる空白部および形状の適応自在性を強調している。星、そり、天使、サンタクロース等の形状のアドベントカレンダー等、他の空白部および形状を、すぐに利用できる。
【００３４】
ここまでの記載、請求項、および、図面に開示された本発明の特徴は、発明を、個々に、および、任意の組合せで実施するのに必須でありうる。
【符号の説明】
【００３５】
１  アドベントカレンダー
２  側部
３  凹域
４  凹部
５  第１吊るし装置
６、７  フック
８  第２吊るし装置
９  リップ  
【図１】
0006556127.tif 000002
【図２】
0006556127.tif 000003
【図３】
0006556127.tif 000004
【図４】
0006556127.tif 000005
【図５】
0006556127.tif 000006
【図６】
0006556127.tif 000007
【図７】
0006556127.tif 000008